(57)【要約】    【課題】        クラリネットやサクソフォーン等のシングルリード楽器のリードは様々なメーカから市販されているが、その多くは演奏会でそのまま使用できるものは少なく、不満足なものが大半であり、調整すべき原因箇所を見出す手段は知られていなかった。    【解決手段】  鳴りの良いリードは振動先端領域の剛性分布がリードの中心軸に対してほぼ左右対称で、且つなだらかに分布している。        しかし従来リードの厚さ分布に関してのみ関心が向けられ、剛性分布検を検査することの重要性は認識されておらず、これを把握しようとする装置はなかった。  本発明はリードの剛性分布を効率的に検査する装置である。検査の結果リードの剛性分布が、非対称ならば柔らかい側と同等になる様、局所的に厚さを変えずに剛性のみを減ずる加工を施せばよい。これによって極めて高い成功率で鳴りの良いリードに改善できるようになった。    【選択図】  図１
2008164581.tif 000002
【特許請求の範囲】
【請求項１】
シングルリード楽器のリード振動端を浮かせた状態で固定するテーブルと固定されたリードに垂直方向から力を加えて剛性を検知する探針と、リード上の探針接触位置を前後左右に移動させる機構と、移動位置を読み取る手段とを備えたことを特徴とするシングルリード楽器のリード剛性分布検査装置。
【発明の詳細な説明】
【技術分野】
【０００１】
本発明はシングルリード楽器におけるリードの検査装置に関するものである。
【背景技術】
【０００２】
木管リード楽器におけるリードの良否は楽器の音色、応答性等を決定的に支配し、演奏の良否を左右する極めて重要な要素である。クラリネット族やサクソフォーン族等のシングルリード楽器のリードは様々なメーカから市販されており、大部分の演奏家はこれを利用している。しかし、メーカ同一ロット品であっても、演奏会でそのまま使用できるものは少なく、大部分は雑音を伴ったり、小さな音から大きな音まで自由に制御し辛かったり、吹き込んだ息の割に鳴りが悪かったり、低音域や、高音域で鳴りが悪かったり、或いはこれらの不具合が複合している等で、不満足なものが大半である。
【０００３】
演奏家はその中からある程度満足できるものを選び出して不満を抱えながら使用しているか、経験に基づいて何らかの調整を加える演奏家もいるが、その経験は楽器の演奏技能に似て、文書化して伝えられたものは少なく、具体的で、誰にも通用する普遍的な方法は知られていなかった。
【０００４】
鳴りの良いリードを選び出す指標としては、リードの繊維（維管束）が真っ直ぐ通っていて、中央から振動端にかけて厚みの変化が滑らかであるもの等が僅かに示されている。
【０００５】
この様な指標は市販の製品は殆ど満足しているが、楽器に取り付けて試奏してみると種々不具合を抱えていることが分かる。偶然良いリードが見つかり、これと他の不満足なリードとを見比べてみても、有意な差を肉眼で見いだすことは困難である。
【０００６】
リードの良否は結局リードを楽器に取り付けて試奏して見ることが唯一の判定方法であった。不満足なリードを満足なリードに調整する方法は種々説かれてはいるが、その殆どは人の感覚に依存するものであり、不安定で客観性に乏しく、調整を試みた結果、却って他の点でもっと重大な不具合を招来してしまうことの方が多く、リードの大部分は失敗して捨て去られていた。
【０００７】
【非特許文献１】シングルリード調整法  傳田文夫 著    ISBN-87463-132-0
【発明の開示】
【発明が解決しようとする課題】
【０００８】
本発明の目的はリードを楽器に取り付けて試奏することでしかできなかった従来の良否判定を、試奏することなく可能とし、不具合なリードにおいては、秘められた原因箇所を探し出し、改善に必要な調整箇所を明示するリード検査装置を提供することにある。
【課題を解決するための手段】
【０００９】
本発明の要諦は次の原理に基づく。即ち
鳴りの良いリードは振動先端領域の剛性分布がリードの中心軸に対してほぼ左右対称で、且つなだらかに分布している。
【００１０】
本発明は上記条件を満足するか否か、そして如何なる部分が条件に反するかを検査する装置である。検査の結果、非対称ならば柔らかい側と同等になる様、後に述べる厚さを維持したまま局所的に剛性を減ずる加工を施すことにより、鳴りのよいリードに改善できる。
【００１１】
本発明はシングルリード楽器のリード振動端を浮かせた状態で固定するテーブルと固定されたリードに垂直方向から力を加えて剛性を検知する探針と、リード上の探針接触位置を前後左右に移動させる機構と、移動位置を読み取る手段とを備えたことを特徴とするシングルリード楽器のリード剛性分布検査装置。
【発明の効果】
【００１２】
従来リードを楽器に取り付けて試奏することでしかできなかった良否判定を、試奏することなく可能とした。不具合なリードにおいては、秘められた原因箇所を探し出し、改善に必要な調整箇所を明示できるので、大部分の従来使えないで廃棄対象となっていたリードを人前での演奏にも使えるものに改善できる。
【００１３】
リードの剛性分布に関しては従来これを測定把握しようとするものはなかった。本発明の剛性分布測定装置によってリードの剛性分布の様相を客観的に明らかできるようにした。その結果リードの部分的な剛性を支配するのはリードの厚さだけでなく、維管束も剛性分布に寄与していることが判明した。剛性対称性を損なっている維管束については後述の厚さ（質量）を維持したまま剛性のみを減ずる処置を当測定装置で観測しながら施すことができるため、極めて高い成功率で著しい改善効果が得られるようになった。
【００１４】
多くのリード楽器演奏家にとって、常に演奏会で使えるレベルのリードを複数枚確保しておくことは必須でありながら、満足なものは得難く、悩ましい問題であった。本発明は演奏家のリードに関する悩みの解決に極めて効果的である。
【発明を実施するための最良の形態】
【００１５】
図１は本発明の実施例を示すもので、剛性分布を測定する装置に測定対象のリードを装着した状態の斜視図である。符号201は測定対象のリードであり、符号202、203、204はリード基底部で固定する金具と締めネジである。締めネジ203を緩めると押さえ板202は蝶番で開く構造となっていて、リードの取り付け取り外しが容易に行える。204はリード基底部を載せる4 mm厚の板で、205の回転テーブル面に固着されている。板厚の分、テーブル面からリード先端を浮かせ、片持梁形状を形成して、リード先端を自由にしている。締めネジ203によってリードを固定するとこれらは回転テーブル205に固定される。
リードの固定位置はリードの中心軸上の任意の点を回転テーブルの回転中心に一致させる。
206は回転テーブルを支える基台であり、206に対する回転テーブルの回転位置は手動操作で随意に設定する。また、205,206にはそれぞれ矢印と角度目盛りが刻まれており、回した角度を読み取れる様になっている。更に、図には示されていないが、設定角度を電気信号として取り出せる機構が設けてある。
【００１６】
207はリードの局所剛性を計る探針である。リードに接する探針の先端は直径２ｍｍの球形になっている。この径はあまり小さく鋭いと接触したままリードを動かすのに支障となり、リードに傷がつく。また、あまり大きいと分布の分解能が鈍くなる。探針は208の回転軸で固定され、かつ図では見えないが、バネが装着されており、探針先端がリードを押し下げる方向に力が働く様になっている。探針の反対側には変位センサ209を置き、探針の微少な変位(傾き)を電気信号に変換して処理回路213を介してメーター214に表示する機構としている。208,209は移動台210上に固定されており、移動台210は基台211に設けた溝に嵌合して図１に示すy方向すなわち回転テーブルの回転中心方向へ直線移動でき、212のツマミを回すことによって210を任意の位置に設定できる機構としている。210,211にはそれぞれ矢印と角度目盛りが刻まれており、動かした位置を読み取れる様になっている。更に、図には示されていないが、設定角度を電気信号として取り出せる機構が設けてある。
【００１７】
以上回転テーブル205の回転操作と移動台210を動かすツマミ212の操作によって、探針先端をリード先端部の随意の位置に接触させ、接触点に加えられた押下力に応じ、平衡するまでリードが変形し、その位置を変位計で読み取ることができる。図２は回転テーブルを回し、探針のリードとの接触位置を変えた時のリード上の探針の軌跡を示す説明図であり、クラリネットリードの標準的な外形と寸法を示している。図の鎖線が探針の軌跡である。
【００１８】
図３は図１の剛性分布測定装置にセットして得た、測定結果の一例である。回転テーブルの回転位置を横軸にとり、縦軸は探針の平衡点から回転テーブル表面までの距離をプロットした結果が図のaである。尚、この変位量はリード厚さ分が含まれる。別途その厚さ分を簡便に計測し、差し引く方法がある。即ちリード基底部を載せた4 mm の板と同じ厚さの板をリード自由端と回転テーブルの間に挿入して、リード自由端の変位を抑えて、テーブルを回転すれば、探針の変位はリード厚さにのみ応じた値を示す。図３のb は同じリードの厚さ測定結果である。なお、リード先端部分の厚さはほぼ平坦であり、a からb を差し引いても僅かであり、剛性分布の様相はあまり変わらないので、実用上厚さ分の補正は省略できる。
【００１９】
リードの鳴りを支配しているのは厚さの対称性と並んで剛性分布の対称性であり、図３のa例では右20°辺りが突出して対称性を崩していると判定できる。
部分的に高い剛性を示すのはリード材の維管束が他より強いものが通っているためと推測される。図３のa例の場合、探針が接する右20°の所を通る維管束であり、これを殺すことによって周りと均等化できる。具体的には探針の接触点から2〜3 mm固定金具側に下がった箇所、更に2〜3 mm下がった箇所、同様に4〜5カ所を、維管束沿いに鋭利なナイフの刃先を入れて強そうな維管束だけを狙って短い切れ目を入れるのである。このときリードは剛性分布測定装置に取り付けた状態で行う。実施後回転テーブルを動かして均等化できたか確認しながら切れ目を入れて行くのである。大抵の場合強い維管束は1本だけでなく近くに何本か通っている。数通りこの様な切れ目を入れると均等化できる。一般には剛性の調整にサンドペーパを用いると説かれているがこれは均等な厚さ(質量)分布を崩してしまうので、避けるべきである。ナイフで切れ目を入れる方法は厚さ(質量)分布を維持したまま、剛性のみ和らげる簡便で優れた方法である。
【産業上の利用可能性】
【００２０】
本発明はシングルリード楽器を製造販売する産業分野で利用することができる。
【図面の簡単な説明】
【００２１】
【図１】本発明２のリード剛性分布測定装置の外観斜視図
【図２】回転テーブルを動かしたときのリード上の探針の軌跡を示す説明図
【図３】剛性分布測定装置で得た測定結果の一例を示す図
【符号の説明】
【００２２】
201  リード
・  リード固定金具の押さえ板   
・  押さえ板締めネジ
204  リード基底部載台   
205  回転テーブル       
206  回転テーブル支え基台
207  探針         
・  回転軸       
・  変位センサー 
210  移動台
211  基台         
212  移動台位置調整ツマミ
【図１】
2008164581.tif 000003
【図２】
2008164581.tif 000004
【図３】
2008164581.tif 000005